(57)【要約】【課題】視認性に悪影響を及ぼすことなく、文字を明示すること。【解決手段】光透過性を有する押釦２４の操作部２４ｂと、電源が供給された場合に発光するＬＥＤチップ２６ｂ，２７ｂ，２８ｂを、光透過性を有するパッケージ体２６ａ，２７ａ，２８ａの内部に封入して構成した発光ダイオードユニット２６，２７，２８とを備え、ＬＥＤチップ２６ｂ，２７ｂ，２８ｂが発光した場合に、パッケージ体２６ａ，２７ａ，２８ａを透過した後の射出光が押釦２４の操作部２４ｂに照射されるように押釦２４の操作部２４ｂおよび発光ダイオードユニット２６，２７，２８を配置した押釦装置２０において、パッケージ体２６ａ，２７ａ，２８ａを透過した後の射出光が、押釦２４の操作部２４ｂにおいて所定の記号状に配光されるようにパッケージ体２６ａ，２７ａ，２８ａの形状を成形した。【選択図】        図２
2009283576.tif 000002
【特許請求の範囲】
【請求項１】
光透過性を有する表示部材と、
電源が供給された場合に発光する発光素子を、光透過性を有するパッケージ体の内部に封入して構成した発光ダイオードユニットとを備え、
前記発光素子が発光した場合に、前記パッケージ体を透過した後の射出光が前記表示部材に照射されるように前記表示部材および前記発光ダイオードユニットを配置した表示装置において、
前記パッケージ体を透過した後の射出光が、前記表示部材において所定の記号状に配光されるように前記パッケージ体の形状を成形した
ことを特徴とする表示装置。
【請求項２】
前記表示部材と前記発光ダイオードユニットとの間に、前記パッケージ体を透過した後の射出光を透過させるとともに拡散させるシート部材をさらに備えたことを特徴とする請求項１に記載の表示装置。
【発明の詳細な説明】
【技術分野】
【０００１】
本発明は、表示装置に関するものである。
【背景技術】
【０００２】
従来、一般的な自動販売機の外扉には、透明な前面パネルにより画成されたディスプレイ室が設けてある。ディスプレイ室には、商品見本を陳列するディスプレイ台が上下方向に複数段設けてある。ディスプレイ台には、自動販売機が販売する商品と対応する商品見本が陳列してある。さらに、前面パネルには、商品見本と対応する複数の表示装置が配設してある。
【０００３】
表示装置は、適宜商品に関する情報を表示部材に表示するためのものとして、発光ダイオード（ＬＥＤ：Ｌｉｇｈｔ  Ｅｍｉｔｔｉｎｇ  Ｄｉｏｄｅ）およびフィルムを備えて構成されている。表示部材は、光透過材から成るもので、押動操作領域を構成している。発光ダイオードは、いわゆるチップ型発光ダイオードであり、回路基板に実装した状態で光源として用いられる。フィルムは、表示部材と発光ダイオードとの間に介在するもので、光透過性を高くした抜き文字を有している。
【０００４】
この種の表示装置によれば、発光ダイオードが発光した場合に、その射出光がフィルムに照射されることになる。フィルムに照射された光は、当該フィルムが有する抜き文字を透過した後に表示部材に照射することになる。したがって、フィルムの抜き文字に相当する文字が表示部材に明示されることになり、これにより商品に関する情報を表示することができる（例えば、特許文献１参照）。
【０００５】
【特許文献１】特開２００５−３４００８６号公報
【発明の開示】
【発明が解決しようとする課題】
【０００６】
しかしながら、従来の表示装置では、表示部材に照射される光をフィルムの抜き文字以外の部分で制限することになるため、フィルムの抜き文字を透過した光のみが表示部材に照射されることになる。そのため、発光ダイオードからの射出光に対して表示部材に照射される光の絶対量が少なくなり、結果として明示する文字の視認性に悪影響を及ぼす虞れがあった。
【０００７】
本発明は、上記実情に鑑みて、視認性に悪影響を及ぼすことなく、文字を明示することのできる表示装置を提供することを目的とする。
【課題を解決するための手段】
【０００８】
上記の目的を達成するために、本発明の請求項１に係る表示装置は、光透過性を有する表示部材と、電源が供給された場合に発光する発光素子を、光透過性を有するパッケージ体の内部に封入して構成した発光ダイオードユニットとを備え、前記発光素子が発光した場合に、前記パッケージ体を透過した後の射出光が前記表示部材に照射されるように前記表示部材および前記発光ダイオードユニットを配置した表示装置において、前記パッケージ体を透過した後の射出光が、前記表示部材において所定の記号状に配光されるように前記パッケージ体の形状を成形したことを特徴とする。
【０００９】
また、本発明の請求項２に係る表示装置は、上記請求項１において、前記表示部材と前記発光ダイオードユニットとの間に、前記パッケージ体を透過した後の射出光を透過させるとともに拡散させるシート部材をさらに備えたことを特徴とする。
【発明の効果】
【００１０】
本発明にかかる表示装置は、発光素子が発光した場合に、パッケージ体を透過した後の射出光が、表示部材において所定の記号状に配光されるようにパッケージ体の形状を成形してある。このため、発光素子からの射出光の全てが表示部材に照射されることになり、フィルムで表示部材に照射される光を制限する場合と比較して、表示部材に照射される光の絶対量を多くすることができる。したがって、視認性に悪影響を及ぼすことなく、文字に代表される記号を明示することができるという効果を奏する。
【発明を実施するための最良の形態】
【００１１】
以下に添付図面を参照して、本発明にかかる表示装置の好適な実施の形態を詳細に説明する。
【００１２】
図１は、本発明の実施の形態である表示装置を適用した自動販売機を示す正面図である。ここで例示する自動販売機１は、たとえば、入金が行われた場合に缶入り飲料、瓶入り飲料およびペットボトル入り飲料などを商品として販売するものであり、本体キャビネット２および外扉３を備えている。本体キャビネット２は、前面が開口した直方体形状の断熱筐体として形成してある。本体キャビネット２の開口部分は、断熱性を有する内扉（図示せず）によって開閉可能となっている。
【００１３】
また、図には明示していないが、本体キャビネット２の内部には、断熱性の仕切板により仕切られた複数の商品収容庫が左右に並設してある。これらの商品収容庫には、缶入り飲料、瓶入り飲料、ペットボトル入り飲料などの商品を収納した商品ラックが設けてある。また、各商品収容庫の下方部には、当該商品収容庫を冷却もしくは加熱して商品ラックに収納した商品を冷蔵・温蔵状態とする冷却／加熱ユニットを備えている。
【００１４】
外扉３は、本体キャビネット２の前面に開閉可能に取り付けてある。外扉３は、本体キャビネット２の開口部分を覆うのに十分な大きさを有し、外扉３の上部域には、前面を無色透明な前面パネル４で覆うことによりディスプレイ室５が画成してある。また、ディスプレイ室５の内側となる部位には、ディスプレイ台６が取り付けてある。ディスプレイ台６は、本体キャビネット２の庫内に収納した商品に対応した商品見本７を左右に一列に複数（本実施の形態では１２個）並べて載置してある。ディスプレイ台６には、例えば、販売する商品の価格を表示してある。ディスプレイ台６の表示は、外扉３を本体キャビネット２に対して閉じた際に、自動販売機１の前面から商品見本７とともに前面パネル４を介して透過視認可能である。なお、図１に示すように本実施の形態に係るディスプレイ台６は、上下方向に複数段（本実施の形態では３段）設けてある。また、外扉３の前面には、硬貨投入口８、紙幣挿通口９、硬貨返却口１０、返却レバー１１、表示器１２および商品取出口１３など周知の構成が設けてある。
【００１５】
図１に示すようにディスプレイ室５を覆う前面パネル４には、各ディスプレイ台６の前方となる位置に押釦装置（表示装置）２０が設けてある。この押釦装置２０は、利用者が商品見本７に対応する商品を選択するための商品選択手段であり、ディスプレイ台６に載置した各商品見本７に対応してそれぞれ設けてある。また、押釦装置２０は、図２に示すように、ケーシングを構成するベース２１とカバー２２とを備えている。
【００１６】
ベース２１は、押釦装置２０の後方側ケーシングを構成するものである。このベース２１は、後面側をネジ等の締結部材（図示せず）で締結して、ディスプレイ室５を覆う前面パネル４に対して固定される。
【００１７】
カバー２２は、押釦装置２０の前方側ケーシングを構成するものである。このカバー２２は、ベース２１に溶着接合されることにより、当該ベース２１との間に略直方体形状の収納空間Ｓを形成している。図には明示していないが、ベース２１とカバー２２との接合部には、シール部材を介在させてあり、収納空間Ｓに所望の水密性が確保してある。この収納空間Ｓには、回路基板２３が収納してある。また、カバー２２には、収納空間Ｓから前方に開口する押釦孔２２ａが形成してある。
【００１８】
回路基板２３は、ベース２１の前面に配設する矩形状の板状体である。回路基板２３の前面には、複数の発光ダイオードユニット２６，２７，２８を実装してある。
【００１９】
発光ダイオードユニット２６は、パッケージ体２６ａの内部にＬＥＤチップ（発光素子）２６ｂを封入して構成したものである。同様に、発光ダイオードユニット２７は、パッケージ体２７ａの内部にＬＥＤチップ（発光素子）２７ｂを封入して構成したものであり、発光ダイオードユニット２８は、パッケージ体２８ａの内部にＬＥＤチップ（発光素子）２８ｂを封入して構成したものである。これら複数の発光ダイオードユニット２６，２７，２８は、左右方向に並設してある。
【００２０】
ＬＥＤチップ２６ｂ，２７ｂ，２８ｂは、回路基板２３を通じて電源が供給された場合に発光するものである。本実施の形態では、ＬＥＤチップ２６ｂ，２７ｂ，２８ｂは、全て同一のものであり、橙色（暖色）に発光するものを適用している。
【００２１】
パッケージ体２６ａ，２７ａ，２８ａは、例えば、光透過性を有する合成樹脂材料から成るものである。このパッケージ体２６ａ，２７ａ，２８ａは、互い異なる形状に成形してある。
【００２２】
パッケージ体２６ａの形状は、ＬＥＤチップ２６ｂが発光した場合に、当該パッケージ体２６ａを透過した後の射出光が後述するシート部材２５において「Ｈ」の文字状に配光されるように成形してある。具体的には、ＬＥＤチップ２６ｂからの射出光が、その射出方向に応じてパッケージ体２６ａから射出する位置をそれぞれ異ならせるように、当該パッケージ体２６ａにおいて前方となる部位に凹部や凸部が設けてある。パッケージ体２７ａの形状は、ＬＥＤチップ２７ｂが発光した場合に、当該パッケージ体２７ａを透過した後の射出光が後述するシート部材２５において「Ｏ」の文字状に配光されるように成形してある。具体的には、ＬＥＤチップ２７ｂからの射出光が、その射出方向に応じてパッケージ体２７ａから射出する位置をそれぞれ異ならせるように、当該パッケージ体２７ａにおいて前方となる部位に凹部や凸部が設けてある。パッケージ体２８ａの形状は、ＬＥＤチップ２８ｂが発光した場合に、当該パッケージ体２８ａを透過した後の射出光が後述するシート部材２５において「Ｔ」の文字状に配光されるように成形してある。具体的には、ＬＥＤチップ２８ｂからの射出光が、その射出方向に応じてパッケージ体２８ａから射出する位置をそれぞれ異ならせるように、当該パッケージ体２８ａにおいて前方となる部位に凹部や凸部が設けてある。
【００２３】
また、押釦装置２０は、図２に示すように、押釦２４を備えている。押釦２４は、光透過材からなり、カバー２２の押釦孔２２ａを貫通する筒状の基部２４ａと、基部２４ａの一方の端部に設けた操作部（表示部材）２４ｂと、基部２４ａの他方の端部に設けた鍔部２４ｃとを備えて構成してある。
【００２４】
操作部２４ｂは、カバー２２の前方に表出する部分であり、楕円形状の押動操作領域を構成している。この操作部２４ｂは、複数の発光ダイオードユニット２６，２７，２８の前方となる位置に亘って配置してあり、複数の発光ダイオードユニット２６，２７，２８からの光を透過する光透過域となる。また、基部２４ａと操作部２４ｂとから形成される収納溝２４ｄには、シート部材２５が収納してある。
【００２５】
シート部材２５は、複数の発光ダイオードユニット２６，２７，２８からの光を透過させるとともに拡散させるためのもので、楕円形状に形成してある。このシート部材２５は、押釦２４の操作部２４ｂと前後方向に重ね合わせる態様で複数の発光ダイオードユニット２６，２７，２８の前方となる位置に亘って配置してあり、複数の発光ダイオードユニット２６，２７，２８からの光を透過させるとともに拡散させる。
【００２６】
鍔部２４ｃは、基部２４ａの外周部分に設けてあり、押釦２４が押釦孔２２ａから抜け落ちる事態を防ぐ役割を果たすものである。この鍔部２４ｃの後方側には、当該鍔部２４ｃを常時前方に向けて付勢するバネ２４ｅが設けてある。押釦２４は、バネ２４ｅの弾性によって、前方から押圧された場合に前方に向けて復帰移動するように設けてある。
【００２７】
また、図には明示していないが、鍔部２４ｃの後方側は、回路基板２３に実装されたスイッチ（図示せず）と対峙している。このスイッチ（図示せず）は、押釦２４が前方から押圧された場合に、その入力信号を自動販売機１のメインコントローラ（図示せず）に送出するものである。
【００２８】
上記のように構成した自動販売機１では、回路基板２３を通じてＬＥＤチップ２６ｂ，２７ｂ，２８ｂに電源を供給すると、当該ＬＥＤチップ２６ｂ，２７ｂ，２８ｂが橙色（暖色）に発光することになる。なお、ＬＥＤチップ２６ｂ，２７ｂ，２８ｂは、常時発光させても良いし、例えば、自動販売機１の前方に立つ人を検出する検出手段を設け、この検出手段が人を検出した場合に発光させても構わない。
【００２９】
ＬＥＤチップ２６ｂ，２７ｂ，２８ｂが発光すると、その射出光全てがそれぞれパッケージ体２６ａ，２７ａ，２８ａを透過することになる。ＬＥＤチップ２６ｂからの射出光は、その射出方向に応じてパッケージ体２６ａにおいてそれぞれ異なる位置から射出することになり、これにより集光されながらシート部材２５に照射することになる。パッケージ体２６ａを透過した後にシート部材２５に照射された光は、当該シート部材２５において「Ｈ」の文字状に照射されることになる。同様に、ＬＥＤチップ２７ｂからの射出光は、その射出方向に応じてパッケージ体２７ａにおいてそれぞれ異なる位置から射出することになり、これにより集光されながらシート部材２５に照射することになる。パッケージ体２７ａを透過した後にシート部材２５に照射された光は、当該シート部材２５において「Ｏ」の文字状に照射されることになる。また、ＬＥＤチップ２８ｂからの射出光は、その射出方向に応じてパッケージ体２８ａにおいてそれぞれ異なる位置から射出することになり、これにより集光されながらシート部材２５に照射することになる。パッケージ体２８ａを透過した後にシート部材２５に照射された光は、当該シート部材２５において「Ｔ」の文字状に照射されることになる。シート部材２５に照射された光は、それぞれ当該シート部材２５を透過するとともに拡散した後に押釦２４の操作部２４ｂに照射することになる。
【００３０】
このように押釦２４の操作部２４ｂに照射された光は、図３に示すように、商品の加温収納状態を意味する「ＨＯＴ」の文字状に配光されることになり、これにより商品に関する情報を意味する文字を明示することができる。しかも、押釦２４の操作部２４ｂに照射された光は、シート部材２５を透過した後に照射されることになる。したがって、利用者が押釦２４を直視し得るように拡散されることになり、文字を容易に視認することができる。
【００３１】
上記のように構成した押釦装置２０によれば、ＬＥＤチップ２６ｂ，２７ｂ，２８ｂが発光した場合に、パッケージ体２６ａ，２７ａ，２８ａを透過した後の射出光が、押釦２４の操作部２４ｂにおいて所定の記号状に配光されるようにパッケージ体２６ａ，２７ａ，２８ａの形状を成形してある。このため、ＬＥＤチップ２６ｂ，２７ｂ，２８ｂからの射出光の全てが押釦２４の操作部２４ｂに照射されることになり、従来の表示装置のようにフィルムで表示部材に照射される光を制限する場合と比較して、表示部材に照射される光の絶対量を多くすることができる。したがって、視認性に悪影響を及ぼすことなく、文字に代表される記号を明示することができるという効果を奏する。
【００３２】
なお、上述した実施の形態では、パッケージ体２６ａ，２７ａ，２８ａは、当該パッケージ体２６ａ，２７ａ，２８ａを透過した後の射出光が、押釦２４の操作部２４ｂにおいて文字状に配光されるように形状を成形しているが、該パッケージ体を透過した後の射出光が、押釦２４の操作部２４ｂにおいて所定の文字や記号を縁取る態様で配光されるように形状を成形しても良い。
【００３３】
また、上述した実施の形態では、パッケージ体２６ａ，２７ａ，２８ａは、当該パッケージ体２６ａ，２７ａ，２８ａを透過した後の射出光が、押釦２４の操作部２４ｂにおいてそれぞれ一字の文字状に配光されるように形状を成形しているが、当該パッケージ体を透過した後の射出光が、押釦２４の操作部２４ｂにおいてそれぞれ二字以上の文字状に配光されるように形状を成形することも可能である。
【００３４】
さらに、上述した実施の形態では、押釦２４の操作部２４ｂに照射される光が、押釦２４の操作部２４ｂにおいて商品の加温収納状態を意味する「ＨＯＴ」の文字状に配光されるように発光ダイオードユニット２６，２７，２８を構成しているが、押釦２４の操作部２４ｂに照射される光が、押釦２４の操作部２４ｂにおいて商品の冷却収納状態を意味する「ＣＯＬＤ」の文字状に配光されるように発光ダイオードユニットを構成しても良い。この場合、ＬＥＤチップは、青色（寒色）に発光するものを適用することが好ましい。
【００３５】
また、上述した実施の形態では、押釦装置２０は、押釦２４の操作部２４ｂにおいて「ＨＯＴ」の文字状に光が配光されるようにした発光ダイオードユニット２６，２７，２８のみを備えて構成しているが、押釦２４の操作部２４ｂにおいて他の文字や記号状に光が配光されるようにした発光ダイオードユニットをさらに備え、押釦２４の操作部２４ｂに択一的に文字や記号を明示するように構成しても良い。例えば、商品の収納状態を明示する場合には、「ＨＯＴ」あるいは「ＣＯＬＤ」の文字状に光が配光されるようにした発光ダイオードユニットのＬＥＤチップを発光する一方、商品の在庫が無くなるなどの商品販売が不可能な状態を明示する場合には、「×」の記号状に光が配光されるようにした発光ダイオードユニットのＬＥＤチップを発光するように押釦装置２０を構成しても良い。
【００３６】
さらに、上述した実施の形態では、押釦装置２０における押釦２４の操作部２４ｂを表示部材として構成した表示装置を例示しているが、その他の部材を表示部材として構成した表示装置であっても良い。
【図面の簡単な説明】
【００３７】
【図１】本発明の実施の形態である表示装置を適用した自動販売機を示す正面図である。
【図２】本発明の実施の形態である表示装置の断面平面概念図である。
【図３】図２に示した表示装置を構成する発光素子を発光させた場合を示した正面図である。
【符号の説明】
【００３８】
２０    押釦装置（表示装置）
２１    ベース
２２    カバー
２３    回路基板
２４    押釦
２４ａ    基部
２４ｂ    操作部（表示部材）
２４ｃ    鍔部
２５    シート部材
２６    発光ダイオードユニット
２６ａ    パッケージ体
２６ｂ    ＬＥＤチップ（発光素子）
２７    発光ダイオードユニット
２７ａ    パッケージ体
２７ｂ    ＬＥＤチップ（発光素子）
２８    発光ダイオードユニット
２８ａ    パッケージ体
２８ｂ    ＬＥＤチップ（発光素子）
【図１】
2009283576.tif 000003
【図２】
2009283576.tif 000004
【図３】
2009283576.tif 000005